(57)【要約】【課題】接続される機器の特性に応じた最適な環境設定を行うことが可能な再生装置および再生方法を提供すること。【解決手段】外部機器が接続される出力端子（ヘッドフォンコネクタ２０）と、出力端子に外部機器が接続されたことを検出する検出手段（プラグ検出部２５）と、検出手段によって外部機器が接続されたことが検出された場合には、出力端子を介して外部機器に検査用信号を出力する出力手段（Ｄクラスヘッドフォンアンプ１０）と、検査用信号を出力している際に電源ラインに現れるリップルのレベルを測定する測定手段（負荷検出部２７）と、測定手段による測定結果に基づいて、外部機器の種類を特定する特定手段（中央制御部１１）と、特定手段による特定結果に基づいて、装置の環境設定を行う設定手段（中央制御部１１）と、を有する。【選択図】図１
2008294803.tif 000002
【特許請求の範囲】
【請求項１】
外部機器が接続される出力端子と、
上記出力端子に上記外部機器が接続されたことを検出する検出手段と、
上記検出手段によって上記外部機器が接続されたことが検出された場合には、上記出力端子を介して上記外部機器に検査用信号を出力する出力手段と、
上記検査用信号を出力している際に電源ラインに現れるリップルのレベルを測定する測定手段と、
上記測定手段による測定結果に基づいて、上記外部機器の種類を特定する特定手段と、
を有することを特徴とする再生装置。
【請求項２】
前記特定手段による特定結果に基づいて、装置の環境設定を行う設定手段を有することを特徴とする請求項１記載の再生装置。
【請求項３】
前記出力手段は、所定の周波数を有する正弦波を含む信号を前記検査用信号として出力し、
前記測定手段は、上記正弦波を出力する出力段に接続される電源ラインに現れるリップルのレベルを測定する、
ことを特徴とする請求項１または２記載の再生装置。
【請求項４】
前記出力段は、スイッチングドライバと、上記スイッチングドライバから出力される信号に含まれる高調波成分を減衰させるローパスフィルタと、を有し、
前記出力手段は、上記ローパスフィルタの遮断周波数よりも低い周波数を有する正弦波を含む信号を前記検査用信号として出力することを特徴とする請求項３記載の再生装置。
【請求項５】
前記出力段と前記測定手段との間に配置される第１のスイッチング素子と、
前記出力段とグランドとの間に配置される第２のスイッチング素子と、
上記電源ラインに印加される出力電圧に応じて、上記第１のスイッチング素子および上記第２のスイッチング素子をスイッチングさせる制御手段と、
を有することを特徴とする請求項３または４記載の再生装置。
【請求項６】
楽曲が含まれるデータを記憶する記憶手段と、
上記記憶手段に記憶された所定のデータを再生する再生手段と、を有し、
前記出力手段は、上記記憶手段に記憶されている所定のデータが上記再生手段によって再生されて得られた検査用信号を出力することを特徴とする請求項１から５のいずれか１項記載の再生装置。
【請求項７】
前記設定手段は、個々の外部機器に対応した音量レベルを設定することを特徴とする請求項２から６のいずれか１項記載の再生装置。
【請求項８】
前記設定手段は、前記外部機器がヘッドフォンである場合には、前記特定手段によって特定された種類に対応する音量レベルを設定し、前記外部機器がそれ以外の装置である場合には、所定の音量レベルに設定することを特徴とする請求項７記載の再生装置。
【請求項９】
前記設定手段は、個々の外部機器に対応したイコライザ特性を設定することを特徴とする請求項２から６のいずれか１項記載の再生装置。
【請求項１０】
前記測定手段は、前記電源ラインの信号を所定のゲインで増幅する増幅回路を有していることを特徴とする請求項１から９のいずれか１項記載の再生装置。
【請求項１１】
出力端子に外部機器が接続されたことを検出し、
上記外部機器が接続されたことが検出された場合には、上記出力端子を介して上記外部機器に検査用信号を出力し、
上記検査用信号を出力している際に電源ラインに現れるリップルのレベルを測定し、
測定結果に基づいて、上記外部機器の種類を特定し、
特定結果に基づいて、装置の環境設定を行う、
ことを特徴とする再生方法。
【発明の詳細な説明】
【技術分野】
【０００１】
本発明は、再生装置および再生方法に関する。
【背景技術】
【０００２】
近年、携帯型の再生装置が市場に多く流通している。図７は、従来の携帯型再生装置の構成例を示す図である。この図に示すように、従来の携帯型再生装置は、Ｄクラスヘッドフォンアンプ１００、コイル１０４，１０５、コンデンサ１０６〜１０９、および、出力端子１１０〜１１２を有している。ここで、Ｄクラスヘッドフォンアンプ１００は、オーバーサンプリングフィルタ１０１、デルタシグマＰＷＭ変換回路１０２、および、スイッチングドライバ１０３を有しており、オーバーサンプリングフィルタ１０１によってオーバーサンプリングされた音声信号が、デルタシグマＰＷＭ変換回路１０２によって１ビット信号に変換され、スイッチングドライバ１０３によって電力を増幅されて出力される。
【０００３】
コイル１０４とコンデンサ１０６およびコイル１０５とコンデンサ１０７はそれぞれローパスフィルタを構成しており、Ｄクラスヘッドフォンアンプ１００から出力された１ビット信号から可聴帯域の信号を通過させ、それ以外は減衰させる。コンデンサ１０８，１０９はカップリングコンデンサであり、直流成分を遮断する。コンデンサ１０８，１０９から出力された音声信号は、出力端子１１０，１１１に供給される。なお、出力端子１１２は、グランドに接続されている。
【０００４】
このような携帯型再生装置の出力端子１１０〜１１２に対して、３極プラグを有するヘッドフォンを接続することにより、ユーザは、再生された楽曲等の音声を聞くことができる。
【０００５】
なお、出力端子１１０〜１１２に対して、ヘッドフォン以外の機器（例えば、車載用機器または家庭用据え置き型機器）に接続することにより、再生された楽曲等の音声をこれらの機器によって聞くことができる。
【０００６】
ところで、携帯型再生装置を、他の機器に接続して使用する場合には、携帯型再生装置によって再生されて得られた音声信号の音量レベルを調整する必要がある。このような方法としては、例えば、特許文献１に示すように、機器側で音量レベルを検出し、検出結果に基づいて、音量レベルを自動的に設定する方法がある。
【０００７】
また、図８に示すように、携帯型再生装置側に出力端子１２０を新たに追加するとともに、図９に示すような４極プラグを用いて機器と接続し、当該新たに追加した出力端子１２０を介して、携帯型再生装置と機器が通信を行い、適切な音量レベルを設定するとともに、例えば、携帯型再生装置における再生、一時停止、スキップアップ／ダウンの処理を機器側で操作可能な技術も提案されている。
【０００８】
より詳細には、図８に示す従来例では、出力端子１１０と３極プラグの端子１３１が接続され、出力端子１１１と端子１３２が接続され、出力端子１２０と端子１３３が接続され、出力端子１１２と端子１３４が接続される。また、端子１３３は、機器の制御部に接続される。一方、携帯型再生装置では、出力端子１２０は、プルアップ抵抗１２１に接続されるとともに、制御部に接続される。携帯型再生装置と機器とは、出力端子１２０と端子１３３を介して通信を行い、各種の制御を行うことができる。
【０００９】
【特許文献１】特開２００７−８９２１８号公報（特許請求の範囲、要約書、段落００４７等）
【発明の開示】
【発明が解決しようとする課題】
【００１０】
ところで、近年では、目的または環境に応じて複数のヘッドフォンを使い分けすることが多くなっている。そのような場合、各ヘッドフォンは、周波数特性、インピーダンス特性、および、感度特性が異なるため、ヘッドフォンを変更する度に、携帯型再生装置の音量レベル、イコライザ特性等を変更する必要があり、煩雑であるという問題点がある。
【００１１】
また、特許文献１に記載した技術では、機器側に音量レベル等を調整させる機能を具備させているので、機器の種類に応じて音量レベル等を調整することができる。しかしながら、このような機能を有しないヘッドフォンには適用できないという問題点がある。また、携帯型再生装置は予め設定された音量レベルで音声信号を出力することから、例えば、予め設定された音量レベルが小さい場合には、機器側において大きなゲインで増幅する必要が生じることから、Ｓ／Ｎ比が低下するという問題点もある。
【００１２】
また、図８，９に示す、４極端子を用いる方法では、４極端子を有する機器については、音量レベル等を調整することができる。しかしながら、このような機能を有しないヘッドフォンには適用できないという問題点がある。
【００１３】
本発明は、上記の事情に基づきなされたもので、その目的とするところは、接続される機器の特性に応じた最適な環境設定を行うことが可能な再生装置および再生方法を提供することを目的とする。
【課題を解決するための手段】
【００１４】
上述の目的を達成するため、本発明の再生装置は、外部機器が接続される出力端子と、出力端子に外部機器が接続されたことを検出する検出手段と、検出手段によって外部機器が接続されたことが検出された場合には、出力端子を介して外部機器に検査用信号を出力する出力手段と、検査用信号を出力している際に電源ラインに現れるリップルのレベルを測定する測定手段と、測定手段による測定結果に基づいて、外部機器の種類を特定する特定手段と、を有する。
【００１５】
また、他の発明の再生装置は、上述の発明に加えて、特定手段による特定結果に基づいて、装置の環境設定を行う設定手段を有するようにしている。
【００１６】
また、他の発明の再生装置は、上述の発明に加えて、出力手段が、所定の周波数を有する正弦波を含む信号を検査用信号として出力し、測定手段が、正弦波を出力する出力段に接続される電源ラインに現れるリップルのレベルを測定するようにしている。
【００１７】
また、他の発明の再生装置は、上述の発明に加えて、出力段が、スイッチングドライバと、スイッチングドライバから出力される信号に含まれる高調波成分を減衰させるローパスフィルタと、を有し、出力手段が、ローパスフィルタの遮断周波数よりも低い周波数を有する正弦波を含む信号を検査用信号として出力するようにしている。
【００１８】
また、他の発明の再生装置は、上述の発明に加えて、出力段と測定手段との間に配置される第１のスイッチング素子と、出力段とグランドとの間に配置される第２のスイッチング素子と、電源ラインに印加される出力電圧に応じて、第１のスイッチング素子および第２のスイッチング素子をスイッチングさせる制御手段と、を有する。
【００１９】
また、他の発明の再生装置は、上述の発明に加えて、楽曲が含まれるデータを記憶する記憶手段と、記憶手段に記憶された所定のデータを再生する再生手段と、を有し、出力手段が、記憶手段に記憶されている所定のデータが再生手段によって再生されて得られた検査用信号を出力するようにしている。
【００２０】
また、他の発明の再生装置は、上述の発明に加えて、設定手段が、個々の外部機器に対応した音量レベルを設定するようにしている。
【００２１】
また、他の発明の再生装置は、上述の発明に加えて、設定手段が、外部機器がヘッドフォンである場合には、特定手段によって特定された種類に対応する音量レベルを設定し、外部機器がそれ以外の装置である場合には、所定の音量レベルに設定するようにしている。
【００２２】
また、他の発明の再生装置は、上述の発明に加えて、設定手段が、個々の外部機器に対応したイコライザ特性を設定するようにしている。
【００２３】
また、他の発明の再生装置は、上述の発明に加えて、測定手段が、電源ラインの信号を所定のゲインで増幅する増幅回路を有するようにしている。
【００２４】
また、本発明の再生方法は、出力端子に外部機器が接続されたことを検出し、外部機器が接続されたことが検出された場合には、出力端子を介して外部機器に検査用信号を出力し、検査用信号を出力している際に電源ラインに現れるリップルのレベルを測定し、測定結果に基づいて、外部機器の種類を特定し、特定結果に基づいて、装置の環境設定を行う、ようにしている。
【発明の効果】
【００２５】
本発明によれば、接続される機器の特性に応じた最適な環境設定を行うことが可能な再生装置および再生方法を提供することができる。
【発明を実施するための最良の形態】
【００２６】
以下、本発明の一実施の形態について図に基づいて説明する。なお、以下では、（Ａ）実施の形態の構成例、（Ｂ）実施の形態の動作の概要、（Ｃ）実施の形態の動作の詳細、および、（Ｄ）変形実施の態様の順に説明する。なお、本発明の再生方法については、本発明の実施の形態の再生装置の動作として説明する。
【００２７】
（Ａ）実施の形態の構成例
【００２８】
図１は、本発明の実施の形態の再生装置１の構成例を示す図である。この図に示すように、本発明の再生装置１は、Ｄクラスヘッドフォンアンプ１０、中央制御部１１、一時記憶部１２、大容量記憶部１３、コイル１４，１５、コンデンサ１６〜１９、ヘッドフォンコネクタ２０、プラグ検出部２５、コンデンサ２６、負荷検出部２７、バッテリ２８、および、レギュレータ２９を主要な構成要素としている。
【００２９】
ここで、出力手段の一部としてのＤクラスヘッドフォンアンプ１０は、オーバーサンプリングフィルタ１０ａ、デルタシグマＰＷＭ（Pulse Width Modulation）変換回路１０ｂ、および、スイッチングドライバ１０ｃを有しており、大容量記憶部１３に記憶されている楽曲を含むコンテンツデータを再生して得られたディジタル信号を１ビット信号に変換して出力する。ここで、オーバーサンプリングフィルタ１０ａは、入力されたＲ（Right）チャンネルおよびＬ（Left）チャンネルそれぞれのディジタル信号をオーバーサンプリングするとともに、例えば、ノイズシェーピング処理を施して出力する。デルタシグマＰＷＭ変換回路１０ｂは、オーバーサンプリングフィルタ１０ａから出力されたディジタル信号を１ビットの信号に変換する。出力段の一部としてのスイッチングドライバ１０ｃは、デルタシグマＰＷＭ変換回路１０ｂから出力されたＲチャンネルおよびＬチャンネルの１ビット信号に基づいてスイッチング動作を行い、レギュレータ２９から供給される直流電力によって、１ビット信号の電力を増幅して出力する。なお、スイッチングドライバ１０ｃの電源端子は、レギュレータ２９の出力と、グランドとにそれぞれ接続されている。
【００３０】
出力手段の一部、特定手段の一部、設定手段の一部、再生手段の一部としての中央制御部１１は、例えば、ＣＰＵ（Central Processing Unit）および／またはＤＳＰ（Digital Signal Processor）等によって構成され、内蔵されている記憶部（不図示）に記憶されているプログラムに応じて装置の各部を制御するとともに、大容量記憶部１３に記憶されているコンテンツデータを取得し、デコード処理を施して再生する。また、後述するように、ヘッドフォンコネクタ２０に接続されたＡＶ機器のインピーダンスを測定し、測定結果に基づいて環境設定を行う。
【００３１】
一時記憶部１２は、例えば、ＲＡＭ（Random Access Memory）等によって構成され、中央制御部１１が実行する対象となるプログラムまたはデータを一時的に格納する半導体記憶装置である。また、一時記憶部１２は、大容量記憶部１３からデータを読み出す際のバッファの役割を有する。
【００３２】
記憶手段としての大容量記憶部１３は、例えば、フラッシュメモリ等によって構成され、複数のコンテンツデータを記憶しており、中央制御部１１の制御に応じて、所定のコンテンツデータを読み出して、供給する。なお、フラッシュメモリの代わりに、ＨＤＤ（Hard Disk Drive）または光ディスク等の記憶媒体を使用してもよい。
【００３３】
出力段の一部としてのコイル１４とコンデンサ１６およびコイル１５とコンデンサ１７はそれぞれＬチャンネル用およびＲチャンネル用のローパスフィルタを構成しており、Ｄクラスヘッドフォンアンプ１０から出力された１ビット信号から可聴帯域の信号を通過させ、それ以外は減衰させる。コンデンサ１８，１９はカップリングコンデンサであり、それぞれＬチャンネルおよびＲチャンネルの信号に含まれている直流成分を遮断する。コンデンサ１８，１９から出力されたＬチャンネルおよびＲチャンネルの音声信号は、ヘッドフォンコネクタ２０のＬチャンネル端子２２およびＲチャンネル端子２３にそれぞれ供給される。
【００３４】
出力端子としてのヘッドフォンコネクタ２０は、プラグ検出端子２１、Ｌチャンネル端子２２、Ｒチャンネル端子２３、および、グランド端子２４を有しており、当該部分に外部機器（ヘッドフォンまたはＡＶ（Audio Visual）機器）の接続ケーブルのプラグが接続される。検出手段の一部としてのプラグ検出端子２１は、プラグが挿入されたことを検出するスイッチとなっている。すなわち、プラグが挿入された場合にはオープン状態となり、プラグが抜かれたときにはＬチャンネルと導通状態となる。なお、これ以外にも、例えば、プラグが挿入された場合にはグランドに接続され、プラグが抜かれた場合はオープンとなるようにしてもよい。Ｌチャンネル端子２２は、コンデンサ１８の出力側に接続され、Ｌチャンネルの音声信号を出力する端子である。Ｒチャンネル端子２３は、コンデンサ１９の出力側に接続され、Ｒチャンネルの音声信号を出力する端子である。グランド端子２４は、グランドに接続されている。
【００３５】
検出手段の一部としてのプラグ検出部２５は、プラグ検出端子２１の状態を検出することにより、ヘッドフォンまたはＡＶ機器（以下、「ヘッドフォン等」と適宜称する）のプラグが挿入されているか否かを検出し、検出結果を中央制御部１１に通知する。
【００３６】
コンデンサ２６は、バイパスコンデンサであり、電源ラインに重畳する高周波成分をグランドに逃がす働きを有する。
【００３７】
測定手段としての負荷検出部２７は、コンデンサ２６の近傍のＡ点における電源ラインのリップルレベルを検出することにより、ヘッドフォンコネクタ２０に接続されているヘッドフォン等のインピーダンスを測定する。
【００３８】
ここで、負荷検出部２７は、帯域フィルタ２７ａ、誤差アンプ２７ｂ、および、変動検出回路２７ｃを有している。帯域フィルタ２７ａは、検査用信号がヘッドフォンコネクタ２０に出力されている際に、Ａ点に生じるリップル成分から所定の帯域の成分を抽出して出力するバンドパスフィルタである。増幅回路としての誤差アンプ２７ｂは、帯域フィルタ２７ａから出力されたリップル成分を所定のゲインで増幅して出力する。変動検出回路２７ｃは、リップルレベルを数値化して出力する回路である。具体的には、例えば、Ａ／Ｄ（Analog to Digital）回路によって構成され、リップル電圧を対応するディジタルデータに変換して出力する。なお、これ以外にも、例えば、コンパレータを用いて、所定の閾値と比較して比較結果を出力するようにしたり、リップル成分をＰＷＭ変換し、パルス幅にて検出するようにしたりしてもよい。あるいは、リップル成分をＰＷＭ変換する際に、使用する三角波の波高値とバイアスレベルとを変化させることにより、デューティ比が１００％または０％の出力信号を生成し、当該パルスをカウントするようにしてもよい。
【００３９】
バッテリ２８は、直流電力を出力する二次電池によって構成される。具体的には、ニッケル水素電池、ニッケルカドミウム電池、または、リチウムイオン電池等によって構成される。
【００４０】
レギュレータ２９は、例えば、ＤＣ／ＤＣ（Direct Current/Direct Current）コンバータ等によって構成され、バッテリ２８から出力される直流電圧を昇圧するとともに、電圧が常に一定になるように制御する。
【００４１】
（Ｂ）実施の形態の動作の概要
【００４２】
つぎに、本発明の実施の形態の動作の概要について説明する。本発明の実施の形態の再生装置１では、負荷変動によって電源ラインにリップルが発生するとともに、負荷インピーダンスによって当該リップルレベルが変化することを利用し、ヘッドフォンコネクタ２０に接続されたヘッドフォン等のインピーダンスを測定し、最適な音量レベルおよびイコライザ特性を設定する。
【００４３】
すなわち、ユーザが所定のヘッドフォン（不図示）のプラグを再生装置１のヘッドフォンコネクタ２０に接続すると、プラグ検出部２５がこれを検出し、中央制御部１１に通知する。中央制御部１１は、一時記憶部１２から検出基準データベースを取得し、これに基づいて検出環境の設定を行う。
【００４４】
検出基準データベースとしては、例えば、図２（Ａ）に示すデータベースが使用される。中央制御部１１は、このデータベースに示されている「検査オーディオ設定」を参照し、音量レベルを「１５」に設定し、また、ＥＱ（イコライザ）をオフに設定し、また、サラウンドをオフに設定する。
【００４５】
つぎに、中央制御部１１は、大容量記憶部１３に記憶されている、負荷インピーダンスを検出するための音声データである「検査用データ」を取得して再生し、Ｄクラスヘッドフォンアンプ１０に供給する。Ｄクラスヘッドフォンアンプ１０は、検査用データに対応する１ビットの音声信号（検査用信号：図２（Ａ）の「検査用信号」に示すように１２７Ｈｚ、０ｄＢの正弦波信号）を生成し、出力する。
【００４６】
Ｄクラスヘッドフォンアンプ１０から出力された検査用信号は、コイル１４，１５にそれぞれ供給される。コイル１４，１５には、負荷インピーダンスに応じた逆起電力が発生するため、Ａ点には逆起電力に応じたリップルが生じる。
【００４７】
図３は、負荷インピーダンス値とリップルのレベルとの関係を示す図である。図３（Ａ）は、負荷インピーダンス値が１６オームのヘッドフォンに対して１２７Ｈｚの検査用信号を加えた場合におけるヘッドフォンへの出力信号の波形（ＨＰ  ＯＵＴ）と、Ａ点のリップルの波形（ＶＤＤ０）とを示している。図３（Ａ）ではリップルは０．４８Ｖとなっている。また、図３（Ｂ）は、負荷インピーダンス値が３２オームのヘッドフォンに対して１２７Ｈｚの検査用信号を加えた場合におけるヘッドフォンへの出力信号の波形と、Ａ点のリップルの波形とを示している。図３（Ｂ）ではリップルは０．２３Ｖとなっている。さらに、図３（Ｃ）は、負荷インピーダンス値が２２ｋオームのヘッドフォンに対して１２７Ｈｚの検査用信号を加えた場合におけるヘッドフォンへの出力信号の波形と、Ａ点のリップルの波形とを示している。図３（Ｃ）ではリップルは０Ｖ（無し）となっている。すなわち、図３に示すように、負荷インピーダンスの値と、リップルのレベルとの間には一定の相関関係が存在する。
【００４８】
負荷検出部２７の帯域フィルタ２７ａは、Ａ点の電圧から所定の帯域の信号（この例では、１２７Ｈｚの信号）を抽出し、誤差アンプ２７ｂに供給する。誤差アンプ２７ｂは、帯域フィルタ２７ａから供給された信号を所定のゲインで増幅し、変動検出回路２７ｃに供給する。変動検出回路２７ｃは、誤差アンプ２７ｂから供給された信号に含まれるリップルのレベルを検出し、中央制御部１１に供給する。例えば、１６オームのヘッドフォンが接続されている場合には、リップルのレベルが０．４８Ｖであることが検出される。
【００４９】
中央制御部１１は、変動検出回路２７ｃの検出結果に応じて、ヘッドフォンのインピーダンス値を特定し、特定したインピーダンス値に応じた音量レベルを設定するとともに、イコライザ特性を設定する。具体的には、中央制御部１１は、図２（Ａ）に示す検出基準データベースを参照し、ヘッドフォンのインピーダンス値を特定するとともに、当該インピーダンス値に最適な音量レベルとイコライザ特性とを設定する。具体的には、リップルレベルが０．４８Ｖの場合には、負荷インピーダンスは１６オームであることが特定される。また、その場合のオーディオ設定に関しては、音量レベルとして設定＃１が選択され、また、ＥＱカーブとして設定＃Ａが選択される。
【００５０】
また、リップルレベルが０．２３Ｖである場合には、負荷インピーダンスは３２オームであることが特定される。また、その場合のオーディオ設定に関しては、音量レベルとして設定＃２が選択され、また、ＥＱカーブとして設定＃Ｂが選択される。
【００５１】
さらに、リップルレベルが０．００Ｖである場合には、負荷インピーダンスは２２ｋオームであることが特定される。また、その場合のオーディオ設定に関しては、音量レベルとして設定＃３が選択され、また、ＥＱカーブとして設定＃Ｃが選択される。より具体的には、負荷インピーダンスが２２ｋオームである場合、接続されているのはヘッドフォンではなくＡＶ機器（例えば、車載用機器または家庭用据え置き型機器）である。その場合、音量レベルを所定の値（Ｓ／Ｎ比が確保でき、かつ、歪みが少ない値）に設定する。これにより、車載用機器または家庭用据え置き型機器側のゲインを低く設定することができるので、Ｓ／Ｎ比が低下することを防止できるとともに、歪みの発生を低減できる。
【００５２】
以上に説明したように、本発明の実施の形態では、再生装置１にヘッドフォンまたはＡＶ機器が接続された場合には、Ｄクラスヘッドフォンアンプ１０から検査用信号を出力し、電源ラインに生じるリップルのレベルを、負荷検出部２７によって検出し、中央制御部１１によって、負荷のインピーダンス値に応じた最適な音量レベルとイコライザ特性とを設定するようにした。このため、ヘッドフォンを変える度に、音量レベルとイコライザ特性を変更する必要がなくなるので、ユーザの負担を軽減できる。
【００５３】
また、音量レベルおよびイコライザ特性については、ユーザの好みの値に設定できるようにすれば、例えば、使用目的または使用環境に応じてヘッドフォンを選択して使用する場合、使用目的または使用環境に応じた最適な音量レベルおよびイコライザ特性に設定することができる。
【００５４】
さらに、複数のユーザによって再生装置１を共用する場合、それぞれのユーザが使用するヘッドフォン毎に、音量レベルおよびイコライザ特性を設定しておけば、個々のユーザの嗜好に合致した特性で楽曲等を楽しむことができる。
【００５５】
また、ヘッドフォンではなく、ＡＶ機器が接続された場合には、音量レベルを所定の値に設定するようにしたので、Ｓ／Ｎ比が低下することを防止できるとともに、歪みの発生を防止できる。
【００５６】
（Ｃ）実施の形態の動作の詳細
【００５７】
つぎに、本発明の実施の形態の詳細な動作について説明する。
【００５８】
図４は、図１に示す再生装置１において電源スイッチがオンの状態にされた場合に実行される処理の一例を説明するフローチャートである。この図に示すフローチャートの処理が開始されると、以下のステップが実行される。
【００５９】
ステップＳ１０：中央制御部１１は、装置の各部への電源の供給を開始する。これにより、レギュレータ２９から出力された直流電力は、スイッチングドライバ１０ｃに供給される。
【００６０】
ステップＳ１１：中央制御部１１は、プラグ検出部２５の出力を参照し、プラグが挿入されているか否かを検出する。その結果、プラグが挿入されている場合には、ステップＳ１２に進み、それ以外の場合には処理を終了する。具体的には、ユーザがヘッドフォンまたはＡＶ機器の接続ケーブルのプラグをヘッドフォンコネクタ２０に接続した状態では、プラグ検出端子２１はオープンの状態になっているので、プラグ検出部２５はこれを検出して、中央制御部１１に通知する。中央制御部１１は、プラグ検出部２５からの通知に基づいて、プラグが挿入されていることを認識する。
【００６１】
なお、プラグが挿入されていないと判定された場合には、後述する検出動作を実行せずに、音量レベルおよびイコライザ特性として、前回の設定値を維持する。
【００６２】
ステップＳ１２：中央制御部１１は、一時記憶部１２に記憶されている検査基準データベースを呼び出すとともに、検査環境の設定を行う。具体的には、検査基準データベースとしては、図２（Ｂ）に示すデータベースが呼び出される。この図に示すデータベースでは、検査環境設定に関する情報として、検査用信号に関する情報、検査オーディオ設定に関する情報、および、検査回路設定に関する情報が格納されている。すなわち、検査用信号としては周波数１２７Ｈｚの音量が０ｄＢの正弦波が用いられることが示されている。また、検査オーディオ設定としては音量レベルが１５であり、ＥＱがオフであり、サラウンドがオフであることが示されている。また、検査回路設定としては、帯域フィルタ２７ａとしては３０〜５００Ｈｚを通過帯域とするＢＰＦ（Band Pass Filter）が使用され、また、誤差アンプ２７ｂの利得としては１０ｄＢが設定されていることが示されている。
【００６３】
ステップＳ１３：中央制御部１１は、大容量記憶部１３または一時記憶部１２に記憶されている検査用データを取得し、再生する。具体的には、検査用データは、図２（Ｂ）に示すように、周波数が１２７Ｈｚであり、音量が０ｄＢであり、また、波形が正弦波である検査用信号を生成するための音声データである。なお、検査用データは、ＬチャンネルおよびＲチャンネルの双方に同じ周波数で、同じ音量で、同じ波形で、しかも、双方の位相が同期した信号が、例えば、ＭＰ３（MPEG-1 Audio Layer-3）等の規格に基づいて圧縮されて生成される。
【００６４】
検査用データの再生が開始されると、中央制御部１１によってデコードされて得られた音声データは、Ｄクラスヘッドフォンアンプ１０において１ビット信号に変換され、コイル１４，１５に出力される。
【００６５】
ステップＳ１４：中央制御部１１は、負荷検出部２７から変動検出データＸを取得する。すなわち、Ｄクラスヘッドフォンアンプ１０から検査用信号の出力が開始されると、Ａ点には負荷インピーダンスに応じたリップルが発生する。帯域フィルタ２７ａは、Ａ点の信号から所定の帯域の信号（この例では、３０〜５００Ｈｚの信号）を抽出し、誤差アンプ２７ｂに供給する。誤差アンプ２７ｂは、帯域フィルタ２７ａから出力された信号を所定のゲイン（この例では１０ｄＢ）で増幅し、出力する。変動検出回路２７ｃは、誤差アンプ２７ｂから出力された信号をＡ／Ｄ変換し、得られた変動検出データ（ディジタルデータ）Ｘを、中央制御部１１に供給する。
【００６６】
ステップＳ１５：中央制御部１１は、変動検出データＸと、検査基準データベースのリップルレベルとを比較する。具体的には、中央制御部１１は、図２（Ｂ）の右から第３列目の第１行目の閾値ＡとデータＸとを比較する。その結果、データＸが閾値Ａ以下である場合には、ステップＳ１６に進み、それ以外の場合にはステップＳ１７に進む。
【００６７】
なお、閾値Ａは、例えば、実測に基づいて決定する。すなわち、この閾値Ａは、検査用データ、帯域フィルタ２７ａ、誤差アンプ２７ｂ、および、変動検出回路２７ｃの設定によって異なるため、実測によって適切な値を決定する。なお、閾値Ｂ，Ｃについても同様である。
【００６８】
ステップＳ１６：中央制御部１１は、変動検出データＸが閾値Ａ以下である場合には、図２（Ｂ）に示すように、負荷としてヘッドフォンではなく、ＡＶ機器が接続されていると考えられることから、オーディオ設定として「設定＃１」をデータベースから取得するとともに、取得した設定＃１に対応する設定情報を、例えば、一時記憶部１２から取得し、中央制御部１１内部の、音量調整部およびイコライザ設定部に対して設定する。これにより、設定＃１に対応する音量レベルおよびイコライザ特性が設定される。そして、処理を終了する。
【００６９】
ステップＳ１７：中央制御部１１は、閾値Ｂと変動検出データＸとを比較する。その結果、変動検出データＸが閾値Ｂ以下である場合には、ステップＳ１８に進み、それ以外の場合にはステップＳ１９に進む。
【００７０】
ステップＳ１８：中央制御部１１は、変動検出データＸが閾値Ａより大きく、かつ、閾値Ｂ以下であることから、図２（Ｂ）に示すように、負荷インピーダンス値は１００オームであると考えられるため、オーディオ設定として「設定＃２」をデータベースから取得するとともに、取得した設定＃２に対応する設定情報を、例えば、一時記憶部１２から取得し、中央制御部１１内部の、音量調整部およびイコライザ設定部に対して設定する。これにより、設定＃２に対応する音量レベルおよびイコライザ特性が設定される。そして、処理を終了する。
【００７１】
ステップＳ１９：中央制御部１１は、閾値Ｃと変動検出データＸとを比較する。その結果、変動検出データＸが閾値Ｃ以下である場合には、ステップＳ２０に進み、それ以外の場合にはステップＳ２１に進む。
【００７２】
ステップＳ２０：中央制御部１１は、変動検出データＸが閾値Ｂより大きく、かつ、閾値Ｃ以下であることから、図２（Ｂ）に示すように、負荷インピーダンス値は３２オームであると考えられるため、オーディオ設定として「設定＃３」をデータベースから取得するとともに、取得した設定＃３に対応する設定情報を、例えば、一時記憶部１２から取得し、中央制御部１１内部の、音量調整部およびイコライザ設定部に対して設定する。これにより、設定＃３に対応する音量レベルおよびイコライザ特性が設定される。そして、処理を終了する。
【００７３】
ステップＳ２１：中央制御部１１は、変動検出データＸが閾値Ｃより大きいことから、図２（Ｂ）に示すように、負荷インピーダンス値は１６オームであると考えられるため、オーディオ設定として「設定＃４」をデータベースから取得するとともに、取得した設定＃４に対応する設定情報を、例えば、一時記憶部１２から取得し、中央制御部１１内部の、音量調整部およびイコライザ設定部に対して設定する。これにより、設定＃４に対応する音量レベルおよびイコライザ特性が設定される。そして、処理を終了する。
【００７４】
以上の処理によれば、電源が投入されている場合に、ヘッドフォンまたはＡＶ機器がヘッドフォンコネクタ２０に接続されているときは、例えば、図２（Ｂ）に示す検査基準データベースに基づいて、検査環境の設定がなされるとともに、検査用データが読み出されて再生される。その結果、Ａ点には負荷インピーダンスに応じたリップルが発生するので、そのレベルを検出することにより、負荷インピーダンスを特定することができる。
【００７５】
また、特定された負荷インピーダンスに基づいて、最適な音量レベルおよびイコライザ特性を設定するので、ユーザがヘッドフォン等を変更する度に、音量レベルまたはイコライザ特性を変更する必要がない。このため、ユーザの操作性を向上させることができる。
【００７６】
また、ヘッドフォンコネクタ２０に対して、ＡＶ機器が接続されている場合には、音量レベルを所定の値に設定にするようにした。この結果、ＡＶ機器内におけるアンプのゲインを低く抑えることができるので、Ｓ／Ｎ比が低下することを防止できるとともに、歪みの発生を防止できる。
【００７７】
また、ＡＶ機器が接続されてボリュームを所定の値に設定した場合であっても、ヘッドフォンが接続されると、音量レベルが当該ヘッドフォンに応じた最適なレベルに変更されるので、大音量で楽曲等が再生されて、ユーザの耳に負担がかかることを防止できる。
【００７８】
また、以上の実施の形態では、ヘッドフォンまたはＡＶ機器と再生装置１との接続は通常の３極プラグを使用することができる。このため、一般的に販売されているどのようなヘッドフォンまたはＡＶ機器についてもインピーダンスを測定し、設定を行うことが可能になる。
【００７９】
また、以上の実施の形態では、電源ラインに現れるリップルのレベルに基づいてインピーダンスを測定するようにした。このため、インピーダンスを測定するための機能を、ヘッドフォンまたはＡＶ機器に対して直接接続する場合に比較して、音質が劣化することを防止できる。すなわち、ヘッドフォンまたはＡＶ機器に対して、インピーダンス測定のための回路が並列または直列に接続されることがないので、測定の回路が有するインピーダンスの影響を受けることがない。これにより、音質の劣化を防止できる。
【００８０】
また、以上の実施の形態では、検査用信号として、単一の周波数の正弦波を用いるようにしたので、ヘッドフォンまたはＡＶ機器の再生帯域におけるインピーダンスを正確に測定することが可能になる。
【００８１】
また、以上の実施の形態では、負荷検出部２７に帯域フィルタ２７ａを設け、検査用信号に対応する周波数の信号を抽出するようにしたので、リップル成分を効率よく、しかも、正確に検出することができる。これにより、検出精度を高めることができる。
【００８２】
また、以上の実施の形態では、負荷検出部２７に誤差アンプ２７ｂを設け、リップル成分を増幅するようにしたので、検査用信号の振幅が小さい場合であっても、リップルを正確に検出し、インピーダンスを測定することができる。これにより、検査用信号の振幅を小さくできることから、測定時に、ヘッドフォンまたはＡＶ機器のスピーカ等から大きな音が出力されることを防止できる。
【００８３】
（Ｆ）変形実施の態様
【００８４】
なお、上述の実施の形態は、本発明の好適な例であるが、本発明は、これらに限定されるものではなく、本発明の要旨を逸脱しない範囲において、種々の変形、変更が可能である。
【００８５】
（Ｆ−１）第１の変形実施の態様
【００８６】
例えば、以上の実施の形態では、負荷インピーダンスを４段階に分けて検出し、それぞれの負荷インピーダンスに応じたオーディオ設定を行うようにしたが、例えば、負荷インピーダンスをＡＶ機器とそれ以外（ヘッドフォン）に分けて検出し、ＡＶ機器とヘッドフォンの場合でそれぞれ最適な設定を行うようにしてもよい。
【００８７】
図５は、このような処理を実現するためのフローチャートである。この図に示すフローチャートの処理が開始されると、以下のステップが実行される。
【００８８】
ステップＳ３０：中央制御部１１は、装置の各部への電源の供給を開始する。これにより、レギュレータ２９から出力された直流電力は、スイッチングドライバ１０ｃに供給される。
【００８９】
ステップＳ３１：中央制御部１１は、プラグ検出部２５の出力を参照し、プラグが挿入されているか否かを検出する。その結果、プラグが挿入されている場合には、ステップＳ３２に進み、それ以外の場合にはステップＳ３８に進む。具体的には、ユーザがヘッドフォンまたはＡＶ機器の接続ケーブルのプラグをヘッドフォンコネクタ２０に接続した状態では、プラグ検出端子２１はオープンの状態になっているので、プラグ検出部２５はこれを検出して、中央制御部１１に通知する。中央制御部１１は、プラグ検出部２５からの通知に基づいて、プラグが挿入されていることを認識する。
【００９０】
ステップＳ３２：中央制御部１１は、一時記憶部１２に記憶されている検査基準データベースを呼び出すとともに、検査環境の設定を行う。具体的には、検査基準データベースとしては、図２（Ｃ）に示すデータベースが呼び出される。この図に示すデータベースでは、検査環境設定に関する情報として、検査用信号に関する情報、検査オーディオ設定に関する情報、および、検査回路設定に関する情報が格納されている。すなわち、検査用信号としては周波数１２７Ｈｚの音量が０ｄＢの正弦波が用いられることが示されている。また、検査オーディオ設定としては音量レベルが１５であり、ＥＱがオフであり、サラウンドがオフであることが示されている。また、検査回路設定としては、帯域フィルタ２７ａとしては３０〜５００Ｈｚを通過帯域とするＢＰＦが使用され、また、誤差アンプ２７ｂの利得としては１０ｄＢが設定されていることが示されている。
【００９１】
ステップＳ３３：中央制御部１１は、大容量記憶部１３または一時記憶部１２に記憶されている検査用データを取得し、再生する。具体的には、検査用データは、図２（Ｃ）に示すように、周波数が１２７Ｈｚであり、音量が０ｄＢであり、また、波形が正弦波である検査用信号を生成するための音声データである。なお、検査用データは、ＬチャンネルおよびＲチャンネルの双方に同じ周波数で、同じ音量で、同じ波形で、しかも、双方の位相が同期した信号が、例えば、ＭＰ３等の規格に基づいて圧縮されて生成される。
【００９２】
検査用データの再生が開始されると、中央制御部１１によってデコードされて得られた音声データは、Ｄクラスヘッドフォンアンプ１０において１ビット信号に変換され、コイル１４，１５に出力される。
【００９３】
ステップＳ３４：中央制御部１１は、負荷検出部２７から変動検出データＸを取得する。すなわち、Ｄクラスヘッドフォンアンプ１０から検査用信号の出力が開始されると、Ａ点には負荷インピーダンスに応じたリップルが発生する。帯域フィルタ２７ａは、Ａ点の信号から所定の帯域の信号（この例では、３０〜５００Ｈｚの信号）を抽出し、誤差アンプ２７ｂに供給する。誤差アンプ２７ｂは、帯域フィルタ２７ａから出力された信号を所定のゲイン（この例では１０ｄＢ）で増幅し、出力する。変動検出回路２７ｃは、誤差アンプ２７ｂから出力された信号を所定の閾値と比較し、閾値よりも誤差アンプ２７ｂの出力が大きい場合にはハイレベル（Ｈ）を出力し、それ以外の場合にはローレベル（Ｌ）を出力する。このようにして得られた変動検出データＸは、中央制御部１１に供給される。
【００９４】
ステップＳ３５：中央制御部１１は、ステップＳ３４で取得した変動検出データＸの値が“Ｈ”であるか否かを判定し、“Ｈ”である場合にはステップＳ３６に進み、それ以外の場合にはステップＳ３７に進む。例えば、ＡＶ機器が接続されている場合には、変動検出データＸは“Ｌ”となるので、ステップＳ３７に進む。
【００９５】
ステップＳ３６：中央制御部１１は、ヘッドフォンコネクタ２０にヘッドフォンが接続されていると考えられることから、音量レベルをデフォルトレベルに設定する。すなわち、中央制御部１１は、図２（Ｃ）に示すデータベースに示されるヘッドフォンに対応する設定＃２に関する情報を一時記憶部１２から取得し、内部の音量設定部に対して設定する。その結果、音量レベルがヘッドフォン用のデフォルト値に設定される。
【００９６】
ステップＳ３７：中央制御部１１は、ヘッドフォンコネクタ２０にＡＶ機器が接続されていると考えられることから、音量レベルを所定の値（Ｓ／Ｎ比の低下を防止できるとともに、歪みの発生を抑えられる値）に設定する。すなわち、中央制御部１１は、図２（Ｃ）に示すデータベースに示されるＡＶ機器に対応する設定＃１に関する情報を一時記憶部１２から取得し、内部の音量設定部に対して設定する。その結果、音量レベルが所定の値に設定される。これにより、Ｓ／Ｎ比の低下を抑えることができるとともに、歪みの発生を低減できる。
【００９７】
ステップＳ３８：中央制御部１１は、プラグ検出部２５の出力を参照し、プラグがヘッドフォンコネクタ２０から抜かれたか否かを判定し、抜かれた場合にはステップＳ３９に進み、それ以外の場合には処理を終了する。
【００９８】
ステップＳ３９：中央制御部１１は、現在、コンテンツデータを再生中であるか否かを判定し、再生中である場合にはステップＳ４０に進み、それ以外の場合にはステップＳ４１に進む。
【００９９】
ステップＳ４０：中央制御部１１は、コンテンツデータの再生を一時停止させる。そして、ステップＳ４１に進む。
【０１００】
ステップＳ４１：中央制御部１１は、プラグ検出部２５の出力を参照し、プラグが再接続されたか否かを判定する。その結果、プラグが再接続された場合にはステップＳ３２に戻って、前述の場合と同様にインピーダンスの検出処理を実行する。また、再接続されていない場合には処理を終了する。
【０１０１】
以上の実施の形態によれば、ヘッドフォンコネクタ２０に対して、ＡＶ機器が接続されている場合には、音量レベルを所定の値に設定にするようにした。この結果、ＡＶ機器内におけるアンプのゲインを低く抑えることができるので、Ｓ／Ｎ比が低下することを防止できるとともに、歪みの発生を防止できる。
【０１０２】
また、ＡＶ機器が接続されてボリュームを所定の値に設定した場合であっても、ヘッドフォンが接続されると、音量レベルがデフォルト値に変更されるので、大音量で楽曲等が再生されて、ユーザの耳に負担がかかることを防止できる。
【０１０３】
（Ｆ−２）第２の変形実施の態様
【０１０４】
図６は、第２の変形実施の態様の構成例を示す図である。この図に示す再生装置１Ａでは、図１に示すブロックに対して、電源回路５０が付加されている。その他の構成は、図１の場合と同様である。なお、図１と対応する部分には同一の符号を付してその説明を省略する。
【０１０５】
電源回路５０は、抵抗５１，５２、コイル５３、スイッチング素子５４，５５、ゲート信号生成回路５６、エラーアンプ５７、基本信号発生回路５８、基準電圧発生部５９、および、コンデンサ６０を有しており、スイッチングドライバ１０ｃに供給する直流電圧に含まれるリップルを減少させる役割を有する。なお、図６のＡ点には、依然としてリップルが現れるので、このリップルを検出することにより、図１の場合と同様に負荷インピーダンスを検出できる。
【０１０６】
ここで、第１のスイッチング素子としてのスイッチング素子５４は、レギュレータ２９の出力とスイッチングドライバ１０ｃとの間に配置される第１のスイッチング素子である。また、第２のスイッチング素子としてのスイッチング素子５５は、レギュレータ２９の出力とグランドとの間に配置される第２のスイッチング素子である。
【０１０７】
スイッチング素子５４，５５は、互いに相補的な金属酸化物電界効果トランジスタ（ＭＯＳＦＥＴ）である。この実施の形態では、スイッチング素子５４を、Ｐ型トランジスタとし、スイッチング素子５５をＮ型トランジスタとしている。スイッチング素子５４のソースが、レギュレータ２９に接続され、スイッチング素子５４のドレインが、コイル５３に接続される。また、スイッチング素子５５のソースが、グランドに接続され、スイッチング素子５５のドレインが、スイッチング素子５４のドレインおよびコイル５３に接続される。
【０１０８】
また、制御手段の一部としてのゲート信号生成回路５６および基本信号発生回路５８によって構成される制御回路は、スイッチングドライバ１０ｃへ供給する電源電圧に対応する値で所定の基本信号をパルス幅変調してゲート信号を生成し、そのゲート信号をスイッチング素子５４，５５へ供給する回路である。制御回路において、制御手段の一部としての基本信号発生回路５８は、所定の周波数ｆｏで所定の波形の基本信号を生成する回路である。基本信号の周波数ｆｏは、オーディオ帯域の上限（通常２０ｋＨｚ）の１０倍以上の所定の値とされ、基本信号の波形は、三角波、ノコギリ波などとされる。この実施の形態では、基本信号の周波数ｆｏは、２００ｋＨｚとされる。ゲート信号生成回路５６は、基本信号とエラーアンプ５７の出力信号とを比較し、比較結果に応じて、ゲート信号をハイレベルまたはローレベルとする回路である。
【０１０９】
コイル５３およびコンデンサ６０によって構成されるローパスフィルタは、２次パッシブフィルタとして構成される。このローパスフィルタのカットオフ周波数ｆｃは、基本信号の周波数ｆｏの１００分の１程度となるように設定される。したがって、この実施の形態では、ローパスフィルタのカットオフ周波数ｆｃは、２ｋＨｚとされる。また、ローパスフィルタによる減衰量は、基本信号の周波数ｆｏにおいて少なくとも８０ｄＢとなるように設定される。すなわち、このような特性となるように、コイル５３のリアクタンス値およびコンデンサ６０のキャパシタンス値が設定される。
【０１１０】
また、制御手段の一部としての基準電圧発生部５９は、所定の目標電圧ＶＤＤ０を抵抗５１，５２で分圧して得られる基準電圧Ｖｒｅｆ（＝ＶＤＤ０・Ｒ２／（Ｒ１＋Ｒ２））（ここで、Ｒ１，Ｒ２は抵抗５１，５２のそれぞれの抵抗値）を発生する回路または素子である。
【０１１１】
また、制御手段の一部としてのエラーアンプ５７は、基準電圧発生部５９による基準電圧Ｖｒｅｆと、電源回路５０からの出力電圧ＶＤＤを抵抗５１，５２で分圧した電圧（＝ＶＤＤ・Ｒ２／（Ｒ１＋Ｒ２））とを比較し、出力信号を両者の差に応じた電圧値とする回路である。すなわち、エラーアンプ５７は、電源回路５０の出力電圧ＶＤＤと所定の基準電圧Ｖｒｅｆとの誤差に応じた電圧の誤差信号を出力する出力電圧誤差出力回路である。
【０１１２】
つぎに、以上の実施の形態について、電源回路５０を中心に、動作の説明を行う。電源回路５０では、スイッチング素子５４が、入力・出力間の直列スイッチとして動作し、スイッチング素子５５が、出力・グランド間のシャントスイッチとして動作する。スイッチング素子５４とスイッチング素子５５は、互いに相補的であり、かつ同一のゲート信号を供給されるため、一方がオン状態にあるときには他方がオフ状態にあり、ゲート信号生成回路５６からのゲート信号に応じてプッシュプル動作をする。
【０１１３】
他方、エラーアンプ５７が、基準電圧発生部５９により生成される基準電圧Ｖｒｅｆと、電源回路５０の出力電圧ＶＤＤを抵抗５１と抵抗５２で分圧した電圧とを比較し、両者の差に応じた電圧値の誤差信号を、ゲート信号生成回路５６に供給する。
【０１１４】
ゲート信号生成回路５６は、基本信号発生回路５８からの基本信号の値とエラーアンプ５７からの誤差信号の値とを比較し、エラーアンプ５７の誤差信号の値が基本信号発生回路５８からの基本信号の値より大きいときには、ゲート信号をハイレベル（所定の電圧Ｖｏ、Ｖｏ≠０）とし、エラーアンプ５７の誤差信号の値が基本信号発生回路５８からの基本信号の値以下であるときには、ゲート信号をローレベル（電圧ゼロ）とし、時系列に沿って連続的にゲート信号を出力する。
【０１１５】
ゲート信号生成回路５６により、２つの入力であるエラーアンプ５７の誤差信号と、ノコギリ波の基本信号とが比較され、エラーアンプ５７の誤差信号の電圧値が基本信号の電圧値より高い場合には、出力であるゲート信号の電圧値がＶｏとされ、そうでない場合には、その電圧値はゼロとされる。同様に、エラーアンプ５７の誤差信号と、三角波の基本信号とが比較され、エラーアンプ５７の誤差信号の電圧値が基本信号の電圧値より高い場合には、出力であるゲート信号の電圧値がＶｏとされ、そうでない場合には、その電圧値はゼロとされる。
【０１１６】
このように、エラーアンプ５７からの誤差信号の電圧値が大きくなると、ゲート信号のデューティ比が増加し（つまり、スイッチング素子５４がオン状態である期間が短くなり）、エラーアンプ５７からの誤差信号の電圧値が小さくなると、ゲート信号のデューティ比が減少する。したがって、電源回路５０の出力電圧ＶＤＤが所定の目標電圧ＶＤＤ０より高くなると、エラーアンプ５７の出力値が大きくなり、エラーアンプ５７の出力値が大きくなると、ゲート信号のデューティ比は、大きくなる。そして、ゲート信号のデューティ比が大きくなると、スイッチング素子５４のオン状態である期間の割合が減り、かつシャントスイッチとして機能するスイッチング素子５５のオン状態である期間の割合が増え、これにより、出力電圧ＶＤＤが減少する。
【０１１７】
一方、出力電圧ＶＤＤが所定の電圧ＶＤＤ０より低くなると、エラーアンプ５７の出力値が小さくなり、エラーアンプ５７の出力値が小さくなると、ゲート信号のデューティ比は、小さくなる。そして、ゲート信号のデューティ比が小さくなると、スイッチング素子５４のオン状態である期間の割合が増え、かつスイッチング素子５５のオン状態である期間の割合が減り、これにより、出力電圧ＶＤＤが増加する。
【０１１８】
このようにして、電源回路５０は、負荷が変動し、スイッチングドライバ１０ｃに供給する直流電圧が所定の電圧ＶＤＤ０より高くなっても低くなっても、その電源電圧ＶＤＤを所定の電圧ＶＤＤ０になるように制御する。
【０１１９】
したがって、ヘッドフォンコネクタ２０に対して、ヘッドフォンまたはＡＶ機器が接続された場合に、負荷インピーダンスを測定する場合には、図６のＢ点におけるリップルは電源回路５０の働きによって抑制される。ところで、電源回路５０の内部には、コイル５３とコンデンサ６０によって構成されるローパスフィルタが存在している。したがって、ヘッドフォンまたはＡＶ機器が接続されて負荷インピーダンスを測定する場合には、コイル５３を流れるリップル電流によって逆起電力が発生し、当該逆起電力によりＡ点にはリップル電圧が発生する。なお、当該リップル電流の大きさは、負荷インピーダンスと一定の相関関係を有しているので、Ａ点に生ずるリップル電圧のレベルを測定することにより、図１に示す実施の形態の場合と同様に、負荷インピーダンスを測定することができる。
【０１２０】
以上に説明したように、図６に示す第２の変形実施の態様の場合、電源回路５０を新たに追加するようにしたので、スイッチングドライバ１０ｃに供給する電源電圧に含まれるリップルを抑えることができる。これにより、通常のコンテンツデータを再生した際に、音声信号に含まれるノイズ成分を抑制することができるので、Ｓ／Ｎ比を向上することができる。
【０１２１】
また、第２の変形実施の態様では、電源回路５０内に存在するコイル５３に生ずる逆起電力をＢ点において検出し、当該逆起電力に基づくリップルレベルに応じて、負荷検出部２７によって負荷インピーダンスを測定するようにしたので、図１に示す実施の形態の場合と同様に、ヘッドフォンコネクタ２０に接続されるヘッドフォンまたはＡＶ機器に応じた最適な音量レベルおよびイコライザ特性を設定できる。
【０１２２】
（Ｆ−３）その他の変形実施の態様
【０１２３】
以上の各実施の形態においては、検査用信号としては単一の周波数の正弦波を用いるようにしたが、例えば、複数の周波数の正弦波が混在する検査用信号を用いるようにしてもよい。例えば、高い周波数と低い周波数の２種類の検査用信号を用いて、低い周波数と高い周波数のそれぞれにおいてインピーダンスの測定を行い、これらに基づいて、インピーダンスを複合的に判定するようにしてもよい。そのような方法によれば、より高精度にインピーダンスを求めることができる。なお、３種類以上の周波数の信号を用いてもよいことはいうまでもない。
【０１２４】
また、以上の実施の形態では、単一の周波数の正弦波を用いて、１回のみ測定を行うようにしたが、複数回測定を行うようにし、その平均値に基づいて判定するようにしてもよい。そのような方法によれば、より高精度に測定を行うことができる。
【０１２５】
また、固定の周波数の検査用信号を用いるのではなく、例えば、可聴帯域内において周波数をスイープ（例えば、３０Ｈｚ〜２０ｋＨｚの範囲でスイープ）させるようにしてもよい。そのような実施の形態によれば、広い範囲におけるインピーダンス特性を得ることができる。このようにして得られたインピーダンス特性は、特に、ヘッドフォンでは機種毎に大きく異なることが予想されることから、当該特性を、例えば、ヘッドフォンを特定するためのユニークなＩＤとして用いることにより、ヘッドフォンの種類を区別し、ヘッドフォン毎に最適な特性を設定することができる。また、可聴帯域におけるヘッドフォンのインピーダンス特性に基づいて、イコライザ特性を設定すれば、個々のヘッドフォン毎に最適なイコライザ特性を設定することができる。
【０１２６】
また、以上の実施の形態では、検査用信号としては、１２７Ｈｚの信号を使用するようにしたが、再生帯域内であればよい。具体的には、例えば、３０Ｈｚ〜２０ｋＨｚの範囲で設定すればよい。なお、高い周波数と、低い周波数を比較すると、低い周波数の方が、コイル１４，１５に生ずる逆起電力のレベルが高くなるので、リップルレベルが高くなるので、インピーダンスの測定が容易になる。すなわち、直流（ＤＣ）に近い周波数ほど、コイル１４，１５に蓄えられるエネルギが増加するため、リップルレベルが高くなる。
【０１２７】
また、検査用信号として、例えば、１５ｋＨｚ以上の周波数を選択した場合には、人間の耳に聞こえづらいので、ヘッドフォン等から出力される音のレベルを実質的に下げることができる。なお、２０ｋＨｚ以上の周波数については、コイル１４とコンデンサ１６およびコイル１５とコンデンサ１７によって構成されるローパスフィルタのカットオフ周波数以上であることから、リップルが生じにくいため、カットオフ周波数以内である方が望ましい。
【０１２８】
また、以上の実施の形態では、正弦波を検査用信号として用いるようにしたが、楽曲信号を検査用信号として用いることもできる。その場合、楽曲信号は、時間に応じて信号レベルが変化するので、予め所定のポイントを定めておいてそのポイントにおける出力レベルを検出したり、あるいは一定期間のリップルの平均値を求めてこれに基づいてインピーダンス値を判定するようにしたりしてもよい。このような方法によれば、ヘッドフォン等から正弦波が出力され、ユーザが不快感を生じることを防止できる。
【０１２９】
また、以上の実施の形態では、ＬチャンネルおよびＲチャンネルの双方から検査用信号を出力するようにしたが、例えば、片方ずつ検査用信号を出力し、それぞれのチャンネル毎に測定を行うようにしてもよい。そのような方法によれば、例えば、左右のチャンネルにインピーダンスの相違が存在している場合には、それを相殺するように音量レベルを設定することにより、左右の出力音量の偏りを是正することができる。
【０１３０】
また、以上の実施の形態では、負荷検出部２７には、帯域フィルタ２７ａおよび誤差アンプ２７ｂを設けるようにしたが、これらは必ずしも必須ではない。例えば、帯域フィルタ２７ａについては、検査用信号がノイズ信号に比較して十分に大きい場合には省略することができる。また、誤差アンプ２７ｂは、検査用信号の検出レベルが十分きい場合には省略することができる。
【０１３１】
また、以上の実施の形態では、図２に示すオーディオ設定として、再生装置の製造時に予め格納されている設定情報に基づいて設定を行うようにしたが、例えば、出荷後に、ユーザが任意に設定できるようにしてもよい。例えば、予め登録されている設定情報（音量レベルおよびイコライザ特性等）を、ユーザが任意に変更可能なようにしてもよい。
【０１３２】
また、以上の実施の形態では、インピーダンスの判断の基準となる閾値は、再生装置の製造時に予め格納するようにしたが、例えば、購入後に実測された実測値を閾値または判定値として格納し、これに基づいて判定を行うようにしてもよい。例えば、ヘッドフォンが接続されて、実測および登録をする旨の要求がユーザからなされた場合には、インピーダンスを、例えば、異なる複数の周波数において実測し、当該複数の周波数におけるインピーダンス値を、当該ヘッドフォンのＩＤとして格納するとともに、当該ＩＤに対応する設定情報の入力を受け付け、これらを対応付けして格納する。そして、同じヘッドフォンが再度接続された場合には、同じインピーダンス値（ＩＤ）を検索し、合致するインピーダンス値が存在する場合には、対応付けして格納されている設定情報に基づいて設定を行う。このような方法によれば、ヘッドフォンと設定情報とをほぼ一対一に関係付けすることができるので、ヘッドフォン毎に設定情報を変更することができる。
【０１３３】
また、以上の実施の形態では、負荷インピーダンスの検出結果に基づいて、音量レベルとイコライザ特性とを設定するようにしたが、これ以外の設定を行うようにしてもよい。例えば、音量制限（設定可能な最大音量レベル）を設定したり、サラウンドの設定を行うようにしたりしてもよい。あるいは、使用目的（例えば、通勤、ジョギング、ドライブ等）によって接続される機器が異なったり、ユーザによって接続される機器が異なる場合を想定し、再生可能なコンテンツのリストを変更したり、図示せぬ表示部の表示設定（例えば、フォントのサイズ、種類、背景画像の種類等）を行うようにしてもよい。より具体的には、例えば、通勤の際にはクラッシック系の楽曲をリスト表示し、ジョギングの際にはアップテンポなポップス系の楽曲をリスト表示し、ドライブの際にはリラックスできるイージーリスニング系の楽曲をリスト表示する、といった具合である。
【０１３４】
また、以上の実施の形態では、図４および図５に示す処理を、電源が投入された際に実行するようにしたが、例えば、プラグ検出部２５によってプラグが挿入されたことが検出された際に実行するようにしてもよい。
【０１３５】
また、以上の実施の形態では、楽曲の再生のみを行う携帯型の再生装置を例に挙げて説明したが、本発明は、これ以外の装置にも適用することができる。例えば、据え置き型の再生装置に適用したり、メモリ以外の記憶媒体（例えば、光ディスク、ＨＤＤ（Hard Disk Drive））に記憶されたデータを再生する装置に対して適用したりすることができる。また、携帯電話等にも本発明を適用することができる。さらに、再生機能のみならず、録音（または録画）機能を有する装置にも本発明を適用可能である。
【産業上の利用可能性】
【０１３６】
本発明は、例えば、携帯型再生装置に適用することができる。
【図面の簡単な説明】
【０１３７】
【図１】本発明の実施の形態に係る再生装置のブロック図である。
【図２】検出基準データベースの一例を示す図である。
【図３】インピーダンス値とリップルレベルとの関係を示す図である。
【図４】図１に示す再生装置において実行される処理の一例を説明するフローチャートである。
【図５】図１に示す再生装置において実行される他の処理の一例を説明するフローチャートである。
【図６】本発明の他の実施の形態に係る再生装置のブロック図である。
【図７】従来の３極プラグを利用する再生装置の構成例を示すブロック図である。
【図８】従来の４極プラグを利用する再生装置の構成例を示すブロック図である。
【図９】４極プラグの一例である。
【符号の説明】
【０１３８】
１  再生装置
１０  Ｄクラスヘッドフォンアンプ（出力手段の一部）
１０ｃ  スイッチングドライバ（出力段の一部）
１１  中央制御手段（出力手段の一部、特定手段、設定手段、再生手段）
１３  大容量記憶部（記憶手段）
１４，１５  コイル（出力段の一部）
１６，１７  コンデンサ（出力段の一部）
２０  ヘッドフォンコネクタ（出力端子）
２１  プラグ検出端子（検出手段の一部）
２５  プラグ検出部（検出手段の一部）
２７  負荷検出部（測定手段）
２７ａ  帯域フィルタ（帯域フィルタ）
２７ｂ  誤差アンプ（増幅回路）
５４  スイッチング素子（第１のスイッチング素子）
５５  スイッチング素子（第２のスイッチング素子）
５６  ゲート信号生成回路（制御手段の一部）
５７  エラーアンプ（制御手段の一部）
５８  基本信号発生回路（制御手段の一部）
５９  基準電圧発生部（制御手段の一部）
【図１】
2008294803.tif 000003
【図２】
2008294803.tif 000004
【図４】
2008294803.tif 000005
【図５】
2008294803.tif 000006
【図６】
2008294803.tif 000007
【図７】
2008294803.tif 000008
【図８】
2008294803.tif 000009
【図９】
2008294803.tif 000010
【図３】
2008294803.tif 000011